(57)【要約】      （修正有）【課題】チェロ、コントラバス等のエンドピンを有する楽器をレゾネータに接続固定する際、エンドピンをホルダの中心位置に容易に載置することができ、また、エンドピンとホルダとレゾネータとが、一体化して中心からずれることなく、演奏中に体が傾いたり、揺れたりしても自在に対応することができ、かつエンドピンの先端でキズを付けたりすることがない、レゾネータとエンドピンとの接続固定用ホルダを提供する。【解決手段】レゾネータＡとエンドピンＣとを接続するための接続固定用ホルダＢにおいて、レゾネータＡの中心開口部へ脱着可能に取り付けるための突起部と、その反対側に球状の穴部を有するエンドピン受入部を設け、先端が球状に加工されたエンドピンＣを穴部において回転支承させる。【選択図】図６
0003214407.tif 000002
【実用新案登録請求の範囲】
【請求項１】
レゾネータとエンドピンとを接続するための固定用ホルダであって、
レゾネータの中心開口部へ脱着可能に取り付けるための突起部と、
その反対側にエンドピン受入部からなり、
エンドピン受入部は球状の穴部を有し、先端が球状に加工されたエンドピンの球状部を当該穴部に嵌入し、穴部において回転自在に支承させることを特徴とする接続固定用ホルダ。
【考案の詳細な説明】
【技術分野】
【０００１】
本考案は、チェロやコントラバス等の床で支持するエンドピンを備える楽器におけるエンドピンの支承機構に関し、詳しくは、エンドピンをレゾネータに固定し且つエンドピンを回転自在に支承するための接続固定用ホルダに関する。なお、ここで「支承」の語は「取り外し可能な状態に支える」という意味で用いている。
【背景技術】
【０００２】
従来チェロやコントラバス等のエンドピン付きの楽器は、エンドピンの先端を直接床面に当接させて固定することにより、演奏されていた。しかし、床面への当接は、壁からの距離が変わると楽器の音質が変わってしまったり、また、コンサートホールの床の材質が異なると音質が変化してしまう、という欠点があった。
そのため、床の位置や材質によって音質が変わることなく、音質を豊かにすることができる複合材（特許第５６５４１５０号）で作製したレゾネータの適用が考えられた（特願２０１７−０２８３２９号）。
【０００３】
しかしながら、このレゾネータの中心に位置する穴部に、エンドピンを刺そうとする場合、楽器本体が大きく、足元が見えにくいために、中心を探して刺すことが困難であった。さらに、エンドピンの中心位置を探る際に、その鋭利な先端により周囲にキズを付けてしまうことがあった。
【０００４】
一方で、中心部に刺したエンドピンが、演奏中に体が傾いたり揺れたりすることで、ずれて外れてしまうトラブルが生じることがあるが、その際にはエンドピンがずれることで音質が変化してしまうため、演奏の続行に支障をきたすことにもなりかねない。
【０００５】
床面等の傷付き付き防止や滑動防止のために、エンドピンの先端にストッパーやホルダを介在させることも知られている（特許文献１、２）が、それらは尖ったままのエンドピンの先端を差し込む形式のものであり、上記の問題は依然として残る。
【０００６】
そもそも、特許文献１に示されるものはインシュレータであり、主に家庭での練習時に使用されるもので、音を低減し、となりの部屋の外に漏れないためのものである。それ故、練習中にエンドピンがインシュレータの中心からずれても支障はなかった。
【０００７】
一方、レゾネータはインシュレータと形状は似ているものの、実際のコンサートホールで使われるために開発されたものであり、演奏中にエンドピンがレゾネータ中心からずれてしまうと、音質が変わってしまうばかりでなく、演奏の中断にもなりかねない。レゾネータにエンドピンの先端を固定することは重要な意味を持つ。
【０００８】
また、演奏の終了時や、休憩時にチェロやコントラバスを横に倒す際、エンドピンで足元を怪我する可能性があるためにゴムキャップを付けることが行われているが、その作業も繁雑なものであった。
【先行技術文献】
【特許文献】
【０００９】
【特許文献１】実用新案登録第３２１０３５２号
【特許文献２】実用新案登録第３１９７２８４号
【考案の概要】
【考案が解決しようとする課題】
【００１０】
本考案は、上記問題を解決し、チェロ、コントラバス等のエンドピンを有する楽器をレゾネータに接続固定する際、エンドピンをホルダの中心位置に容易に載置することができ、また、エンドピンとホルダとレゾネータとが、一体化してずれるたり外れたりすることなく、演奏中に体が傾いたり揺れたりしても自在に対応することができ、かつ、エンドピンの先端でキズを付けたりすることがない接続構造を提供することを課題とする。
【課題を解決するための手段】
【００１１】
本考案者は、鋭意検討を重ねた結果、球状の穴が形成された接続固定用ホルダをレゾネータの間に装着し、先端を球状に加工したエンドピンのその球状の先端を、ホルダの球状の穴に嵌入させることによって、上記課題を解決できることを見出し、本考案に至った。
【００１２】
本考案は、接続固定用ホルダに球状のエンドピン先端を受け入れる穴部を形成することを特徴とし、以下の技術を基礎とする。
【００１３】
レゾネータとエンドピンとを接続するための固定用ホルダであって、
レゾネータの中心開口部へ脱着可能に取り付けるための突起部と、
その反対側にエンドピン受入部とを有し、
エンドピン受入部には球状の穴部を有し、先端が球状に加工されたエンドピンを穴部において回転自在に支承させることを特徴とする接続固定用ホルダ。
【考案の効果】
【００１４】
本考案の接続固定用ホルダ（以下、単に「ホルダ」という。）を用いることにより、エンドピンをレゾネータに容易に装着でき、かつ、演奏中にエンドピンの先端がずれたり外れたりしてしまうことがなくなり、演奏者が安心して演奏に集中することができるという効果を奏する。
また、演奏の終了時、休憩時に楽器を横に倒した場合の安全のためのゴムキャップの装着は不要となり、エンドピンによる怪我も防止できるといった利点を有する。
【図面の簡単な説明】
【００１５】
【図１】図１は、本考案で使用するレゾネータを示す図である。
【図２】図２は、本考案のホルダを示す図である。
【図３】図３は、本考案で使用するエンドピンを示す図である。
【図４】図４は、本考案のホルダの実施例の一つを示す図である。
【図５】図５は、本考案のホルダとエンドピンを組合せる実施例を示す図である。
【図６】図６は、本考案のホルダの使用時の態様を示す図である。
【図７】図７は、本考案のホルダの使用時の態様を示す写真である。
【考案を実施するための形態】
【００１６】
図２は、本考案のホルダの基本的な構成を示している。
ホルダＢは、下部にレゾネータＡの開口部１へ差し込むための突起部２と、その反対側にエンドピン受入部３とを設け、エンドピン受入部３にはエンドピンＣの球状に加工された先端５を受け入れるための球状の穴部４を有する。
【００１７】
演奏時には、レゾネータＡを床面に置き、レゾネータの中心に設けられた開口部１に、ホルダの突起部２を差し込み固定する。球状に加工されたエンドピンの先端５を、ホルダＢの穴部４に挿入し、回転自在に支承させる。
【００１８】
ホルダの材質としては、熱可塑性樹脂または熱硬化性樹脂から選ばれ、ナイロン、ポリプロピレン、ホリエステル、ポリアセタール等の熱可塑性樹脂、フェノール樹脂、メラミン樹脂、エポキシ樹脂等の熱硬化性樹脂、またはレゾネータに適した複合材料が用いられる。
【００１９】
レゾネータは、中心位置に穴が形成されていれば、適宜の形状のものを使用でき、材質としては、特許第５６５４１５０号に示されるような複合材料、すなわち、フェノール系樹脂と充填材とからなる樹脂組成物を成型してなる音響機器用機能性材料が好適に用いられる。
【００２０】
エンドピンＣは、先端を球状に加工されているため、周囲をキズ付けることなくホルダの受入部を探索、装着することができ、ホルダの穴部が球状であるので、装着後回転自在に支承されることになる。
【００２１】
エンドピンＣの材質としては、鉄、ステンレス、チタン、銅等の金属またはその合金、カーボン、特許第５６５４１５０号に示されるような複合材料が用いられる。
【実施例】
【００２２】
本考案の実施例を図４〜６により説明する。
本実施例のホルダＢは、下部にレゾネータＡの開口部１へ差し込むための突起部２と、エンドピンＣを差し込むための受入部３と、鍔状の中間部６とからなり、受入部３には、エンドピンＣの球状に加工された先端５を受け入れるための球状の穴部４を設ける。穴部の入口は穴部の最大径よりも少しだけ小さくする。
【００２３】
中間部を鍔状とすることによって、取り付け時の操作性が向上する。ホルダをレゾネータへ取り付ける際、その嵌め込み固定が容易になり、また、エンドピンの受入部を小さくすることによって、エンドピン挿入位置の探索が容易となる。また、穴部の入口を絞ることにより、エンドピンの回転の際抜けにくくなる。
【００２４】
実施例のホルダ、レゾネータ、エンドピンを使用して、コントラバスの演奏を試みたところ、取り付け時には、エンドピンを容易に差し込むことができ、レゾネータに固定することができた。また、エンドピンの先端が自在に回転するため、演奏中に外れることもなく、良好に演奏することができ、レゾネータの効果を損なうこともなく良好な音質を保持することができた。ゴムキャップの装着が不要であることも好評であった。
【産業上の利用可能性】
【００２５】
ホルダに球状の穴部を設け、先端を球状としたピンを受け入れることによって、ピン状物の安全な回転支承が可能となり、レゾネータとの接続以外にも、エンドピンを有する楽器と他の器具との接続にも応用し得る実用的価値の高いものである。
【符号の説明】
【００２６】
Ａ  レゾネータ
Ｂ  接続固定用ホルダ
Ｃ  エンドピン
１  レゾネータの中央開口部
２  差し込み用突起部
３  エンドピン受入部
４  球状の穴部
５  エンドピンの先端球状部
６  ホルダ鍔状中間部
【図１】
0003214407.tif 000003
【図２】
0003214407.tif 000004
【図３】
0003214407.tif 000005
【図４】
0003214407.tif 000006
【図５】
0003214407.tif 000007
【図６】
0003214407.tif 000008
【図７】
0003214407.tif 000009